(57)【要約】【課題】本発明は、微細な画線、特に、微細な画線を含んだ階調図柄においてもパール顔料による干渉光で視認できるパール光沢が付与でき、加えて、パール光沢による階調画像が視認できる偽造防止性の高い印刷物を提供するものである。【解決手段】階調図柄は、第１の印刷層の全部又は一部に第２の印刷層を積層して成り、第１の印刷層は、凸状で、かつ光吸収性インキにより複数の画線を有し、画線の画線幅は、階調図柄の所定の領域毎に異ならせて成り、画線の画線高さは、階調図柄の所定の領域ごとに画線幅に応じた所定の周長になるように異ならせて成り、第２の印刷層は、パール印刷層で成り、階調図柄は、拡散光領域では第１の印刷層の印刷色で階調をなして視認でき、正反射光領域では第１の印刷層に積層するパール印刷層によりパール光沢で階調をなして視認できる偽造防止印刷物である。【選択図】図４
2008105238.tif 000002
【特許請求の範囲】
【請求項１】
光反射性の基材の少なくとも一方に階調図柄を有する印刷物であって、前記階調図柄は、第１の印刷層の全部又は一部に第２の印刷層を積層して成り、前記第１の印刷層は、凸状で、かつ光吸収性インキにより複数の画線を有し、前記画線の画線幅は、前記階調図柄の所定の領域ごとに異ならせて成り、前記画線の画線高さは、前記階調図柄の所定の領域毎に前記画線幅に応じた所定の周長になるように異ならせて成り、前記第２の印刷層は、パール印刷層で成り、前記階調図柄は、拡散光領域では前記第１の印刷層の印刷色で階調をなして視認でき、正反射光領域では前記第１の印刷層に積層する前記パール印刷層によりパール光沢で階調をなして視認できることを特徴とする偽造防止印刷物。
【請求項２】
光反射性の基材の少なくとも一方に階調図柄を有する印刷物であって、前記階調図柄は、第１の印刷層の全部又は一部に第２の印刷層を積層して成り、前記第１の印刷層は、凸状で、かつ光吸収性インキにより複数の画線を有し、前記画線の画線幅と画線高さは同一とし、前記画線は、前記階調図柄の所定の領域ごとに前記画線のピッチを異ならせて成り、前記第２の印刷層は、パール印刷層で成り、前記階調図柄は、拡散光領域では前記第１の印刷層の印刷色で階調をなして視認でき、正反射光領域では前記第１の印刷層に積層する前記パール印刷層によるパール光沢で階調をなして視認できることを特徴とする偽造防止印刷物。
【請求項３】
前記基材と、前記第１の印刷層及び前記第２の印刷層との間に、第３の印刷層をパール印刷層で設け、前記第２及び前記第３の印刷層のパール顔料が、同一、同質又は異質であることを特徴とする請求項１又は２記載の偽造防止印刷物。
【請求項４】
前記パール光沢が虹彩色又は金属色で視認できることを特徴とする請求項１〜３記載の偽造防止印刷物。
【請求項５】
前記第２の印刷層が、ベタ状又は線状でパール印刷することを特徴とする請求項１〜４記載の偽造防止印刷物。
【請求項６】
前記光吸収性インキが、黒、茶、暗青、暗緑又は暗紫のいずれかの色相であることを特徴とする請求項１〜５記載の偽造防止印刷物。
【請求項７】
前記階調図柄が、ハイライト部、中間部及びシャドー部から成ることを特徴とする請求項１〜６記載の偽造防止印刷物。
【請求項８】
前記階調図柄のハイライト部において、前記画線の画線幅が１００μｍ以下であることを特徴とする請求項１〜７記載の偽造防止印刷物。
【請求項９】
前記画線の画線幅が１〜５００μｍ以下であることを特徴とする請求項１〜８記載の偽造防止印刷物。
【請求項１０】
前記画線の画線高さが１〜１５０μｍ以下であることを特徴とする請求項１〜９記載の偽造防止印刷物。
【請求項１１】
前記パール印刷に用いるパール顔料の顔料径が、前記画線の画線幅の１／３以上で成ることを特徴とする請求項１〜１０記載の偽造防止印刷物。
【発明の詳細な説明】
【技術分野】
【０００１】
本発明は、紙幣、国債、パスポート、有価証券、カード、貴重印刷物を含む偽造防止が必要とされる印刷物に利用されるものである。
【背景技術】
【０００２】
近年、カラー複写機の高画質化、カラー製版技術のコンピュータ化に伴い、紙幣や有価証券類の偽造手段が多様化する傾向にある。特に、カラーコピー機やスキャナーなどの画像入出力機器の解像度が飛躍的に向上していることから、有価証券類に使用されている細線や微小文字の抽出が比較的容易になってきた。このため、コピー機やパソコンのプリンタで再現できない技術、例えば、角度によって異なる色彩が視認できるパール印刷、ホログラムや触感によって凹凸感が得られる凹版印刷などが更に有効な技術になってきている。
【０００３】
そこで、本出願人は、パール印刷に着眼して、特開２００４−９０３８１号公報や特開２００４−２０９６４６号公報を開示している。
【０００４】
特開２００４−９０３８１号公報は、基材表面に盛り上がりのあるインキで、配列方向が異なる２方向の万線を利用して第２メッセージ画像を印刷した後、第２メッセージ画像上に第１メッセージ画像を光学的変化インキで印刷し、第１及び第２のメッセージ画像は視認する角度によって出現するものである（特許文献１参照）。
【０００５】
一方、特許第３７１８７１２号公報は、基材表面に、盛り上がった画線形状をなし、かつスクリーン印刷用のインキで、基本画像部と背景画像部を印刷し、基本画像部は視認する角度によってポジ画像からネガ画像に変化して出現するものである（特許文献２参照）。
【０００６】
しかし、特許文献１では、潜像を複数現出することを目的及び課題とし、配列方向が異なる万線状凸画線上に光学的変化インキを印刷しているが、印刷物の凸状画線上にパール印刷した場合に及ぼす効果及び万線の線幅及び線ピッチを変化させることは触れておらず、単なる構成のみを言及しているところ、潜像を視認するためには万線状凸画線の線幅及び線ピッチを同一にしないと、印刷物を傾けた時の潜像が明瞭に視認できないため、線構成が単純となり複製が容易であるという欠点がある。
【０００７】
また、特許文献２では、パール顔料などを含んだ盛り上がりのある画線でメッセージ画像部と背景画像部とを構成しているが、使用するパール顔料の粒子径によって画線幅は制約を受ける。具体的には、通常、スクリーン印刷、グラビア印刷又は凹版印刷で使用されるパール顔料の平均粒子径は通常５〜１５０μｍ程度で、通常の印刷に使用する粒子径よりも大きい。このため、顕著なネガポジ効果のある印刷物として得るためには、印刷物の画線幅はパール顔料（又は鱗片状顔料）の粒子径に依存するものの、少なくとも、画線幅はパール顔料の粒子径よりも３倍以上、粒子径のバラツキを±１０μｍ程度と考えると、好ましくは５倍以上の大きさで画線幅を設計しないと、印刷中に版面の目詰まりが発生し、画線幅は長時間、同一の印刷品質が維持できない。具体的には、版面は印刷方式により異なるが、グラビア印刷の場合はグラビアシリンダのセル、スクリーン印刷の場合はスクリーンの紗の開口幅、凹版印刷の場合は凹版版面の凹部により定まる。
【０００８】
そこで、使用するパール顔料の粒子径によって、適宜、画線幅の設計を行う必要があるが、実行上、例えば、平均粒子径５μｍのパール顔料を使用した場合でも、７５μｍ以下（パール顔料のバラツキ（プラス側）の粒子径：１５μｍ×版詰まりしない許容値：５倍）の画線幅での印刷は、版詰まりの影響からほとんど行われていない。また、パール顔料を５μｍ以下の微細にして、パール光沢を向上する開発も行われているが、パール顔料が小さくなると、パール顔料である例えば鱗片状顔料の粒子径が厚みと近似し適正な光の屈折が得られないことと、印刷乾燥後にフィーリング（配向）せずパール光沢が現出しないことこら、パール顔料の粒子径は一定程度の大きさが必要である。従って、スクリーン印刷などによってパール印刷層を形成する場合、７５μｍ以下の画線幅で、長時間安定してパール光沢のある印刷物を作製することは、実行上難しかった。
【０００９】
前述の課題は、特許文献２に限った課題ではなく、パール印刷全般に関わる課題である。通常、基材にパール顔料を印刷する場合、比較的大きな印刷顔料の粒子径でも印刷できるグラビア印刷又はスクリーン印刷の方式を用いるが、印刷図柄としては、階調のないベタ図柄で印刷を行う。理由としては、図柄に階調を設けた場合、階調のハイライト部となる細かい画線では印刷上時の版詰まりの影響から不向きであることと、仮に細かな画線で印刷しても、画線面積が小さいため顕著なパール光沢は得られないためである。従って、図柄を微細な画線で構成した場合、顕著なパール光沢を具備する印刷物の作製は困難であった。
【００１０】
ところで、基材にパール印刷する場合、パール光沢をより明瞭に観察する方法としては、図８（ａ）に示すように、まず、光反射性のある白色の紙などの基材１０ａにオフセット印刷などで平胆状、かつベタ状に光吸収性の黒系インキで印刷層１０ｂを設けた後、印刷層１０ｂ上にスクリーン印刷方式などでパール印刷層１０ｃを設ける方法が知られており、この方法は多種多様なパール顔料ごとの色見本印刷物１０に利用されている。
【００１１】
この理由としては、比較例として図８（ｂ）に示すように、光反射性の白色の基材１１ａ上にスクリーン印刷方式等でパール印刷層１１ｃを設けた印刷物１１は、自然光などで視認した場合、パール顔料１１ｄに対する入射光がパール顔料１１ｄで反射する第１の反射光（又は干渉光）と透過する透過光（反射光の補色）に分けられ、さらに透過光は光反射性の基材に反射するため第２の反射光として視認できることによる。このため、第１と第２の反射光で２色の反射光が視認できるが、互いの反射光が干渉し合い（又は、混じり合い）、強いパール光沢は得られないことと、パール顔料１１ｄで本来発揮する干渉光によるパール光沢のみを視認することはできない。
【００１２】
一方で、図８（ａ）のように、色見本印刷物１０ではスクリーン印刷方式等でパール印刷層１０ｃの下層に光を吸収する黒系色の印刷層１０ｂを設けることで、自然光等で視認した場合、パール顔料１０ｄに対する入射光は、パール顔料１０ｄで反射する反射光（又は干渉光）は視認できるが、透過する透過光（反射光の補色）は、下層が光吸収性の基材のため、吸収され反射しない。従って、パール顔料１０ｄで反射するパール光沢のみを視認できるため、パール顔料１０ｄが本来、発揮すべき干渉光によるパール光沢のみが明瞭に視認できることと、基材からの反射光がなく反射光の干渉が生じないことから、強いパール光沢が視認できる。
【００１３】
しかし、従来は、図８（ａ）に示すように、基材１０ａに比較的大きな印刷領域にベタ状に黒系印刷層１０ｂを設け（又は、透明基材の裏面に黒系印刷層を設け）、その上にパール印刷層１０ｃを形成することは、単なるパール顔料のパール光沢を示す色見本としての利用にとどまり、偽造防止効果を狙った開発は図られていなかった。なお、ここでいう「パール顔料」は、特殊な光学効果で真珠のような光沢及び虹彩色を示す顔料であり、天然の雲母に酸化チタン、酸化鉄等の金属酸化物をコートした顔料であるが、その他公知の顔料を適宜使用しても良い。また、「パール光沢」は、メジウム、パール顔料などを混合したインキをスクリーン印刷などでパール印刷層を形成し視認した時に、パール顔料である鱗片状顔料により光多重反射による干渉光を発し、真珠のような光沢、虹彩色及び金属色などが視認できることを言う。
【００１４】
【特許文献１】特開２００４−９０３８１号公報（第１−８頁、第６−８図）
【特許文献２】特許第３７１８７１２号公報（第１−９頁、第５−１２図）
【発明の開示】
【発明が解決しようとする課題】
【００１５】
本発明は、前述した課題を解決し、微細な画線でも顕著なパール光沢を発揮することができる。特に、微細な画線を含んだ階調図柄においてもパール顔料による干渉光で視認できるパール光沢が付与でき、加えて、パール光沢の強さの変化が階調画像の画線に応じて視認できる偽造防止性の高い印刷物を提供するものである。
【課題を解決するための手段】
【００１６】
本発明は、光反射性の基材の少なくとも一方に階調図柄を有する印刷物であって、階調図柄は、第１の印刷層の全部又は一部に第２の印刷層を積層して成り、第１の印刷層は、凸状で、かつ光吸収性インキにより複数の画線を有し、画線の画線幅は、階調図柄の所定の領域ごとに異ならせて成り、画線の画線高さは、階調図柄の所定の領域ごとに画線幅に応じた所定の周長になるように異ならせて成り、第２の印刷層は、パール印刷層で成り、階調図柄は、拡散光領域では第１の印刷層の印刷色で階調をなして視認でき、正反射光領域では第１の印刷層に積層するパール印刷層によりパール光沢で階調をなして視認できることを特徴とする偽造防止印刷物である。
【００１７】
本発明は、光反射性の基材の少なくとも一方に階調図柄を有する印刷物であって、階調図柄は、第１の印刷層の全部又は一部に第２の印刷層を積層して成り、第１の印刷層は、凸状で、かつ光吸収性インキにより複数の画線を有し、画線の画線幅と画線高さは同一とし、画線は、階調図柄の所定の領域ごとに画線のピッチを異ならせて成り、第２の印刷層は、パール印刷層で成り、階調図柄は、拡散光領域では第１の印刷層の印刷色で階調をなして視認でき、正反射光領域では第１の印刷層に積層するパール印刷層によるパール光沢で階調をなして視認できることを特徴とする偽造防止印刷物である。
【００１８】
本発明は、基材と、第１の印刷層及び第２の印刷層との間に、第３の印刷層をパール印刷層で設け、第２及び第３の印刷層に含まれるパール顔料が、同一、同質又は異質であることを特徴とする偽造防止印刷物である。
【００１９】
本発明は、パール光沢が虹彩色又はメタリック調色で視認できることを特徴とする偽造防止印刷物である。
【００２０】
本発明は、第２の印刷層が、ベタ状又は線状であることを特徴とする偽造防止印刷物である。
【００２１】
本発明は、光吸収性インキが、黒、茶、暗青、暗緑又は暗紫のいずれかの色相であることを特徴とする偽造防止印刷物である。
【００２２】
本発明は、階調図柄が、ハイライト部、中間部及びシャドー部から成ることを特徴とする偽造防止印刷物である。
【００２３】
本発明は、階調図柄のハイライト部において、画線の画線幅が１００μｍ以下であることを特徴とする偽造防止印刷物である。
【００２４】
本発明は、画線の画線幅が１〜５００μｍ以下であることを特徴とする偽造防止印刷物である。
【００２５】
本発明は、画線の画線高さが１〜１５０μｍ以下であることを特徴とする偽造防止印刷物である。
【００２６】
本発明は、パール印刷に用いるパール顔料の顔料径が、画線の画線幅の１／３以上で成ることを特徴とする偽造防止印刷物である。
【発明の効果】
【００２７】
本発明は、微細な画線を凸状として、その上をパール印刷層で積層することで、画線の周長又は表面積を大きくできることから、画線上に積層又は隠蔽するパール印刷層に含まれるパール顔料の数も増加するため、パール顔料の干渉光（又は多重反射光）も増加する。加えて、画線を黒系色とすることで、パール顔料の干渉光のみを視認できるため、強いパール光沢を視認できる。従って、微細な画線においても、従来よりも視認性が高いパール印刷物が作製できる。
【００２８】
また、本発明の印刷物を拡散反射領域で視認した場合、階調画像は第１の印刷層の黒系色及び画線３ａ以外の基材１上に積層したパール顔料４ａの干渉光によりパール光沢が視認できる。一方、正反射領域で視認すると、階調画像の画線３ａ上に積層した第２の印刷層であるパール印刷層に含まれるパール顔料４ａの干渉光により強いパール光沢が視認でき、かつ階調図柄の夫々の画線３ａによってパール顔料４ａの積層する配向数が異なる結果、夫々の画線３ａでは干渉光の強さも異なり、階調図柄に応じたパール光沢の強さの変化が視認できる。従って、視認する角度によって異なった色で階調図柄が視認できる。
【００２９】
さらに、本発明の構成では、微細な画線を凸状として、その上にスクリーン印刷でパール印刷層をベタ状に形成するため、パール顔料の粒子径の大きさに制約を受けることなく微細な画線幅でも高いパール光沢が付与できる。
【００３０】
また、本発明の構成によって作製した印刷物を複写した場合、第１の印刷層である画線の印刷色となる黒系色は複写できるが、画線上に付与したパール印刷層は透明又は半透明であるため複写困難であり、且つ、印刷物を正反射領域で視認しても、真珠のような光沢や虹彩色などのパール光沢までは再現できないため、偽造防止効果に優れている。
【００３１】
また、基材上に第２のパール印刷層、凸状の画線及び第１のパール印刷層の順序に積層する場合、第２のパール印刷層は用紙製造段階で印刷すれば、印刷工程で２回パール印刷する必要がないので効率的に作製できる。
【発明を実施するための最良の形態】
【００３２】
本発明の実施形態について図面を用いて説明する。しかしながら、本発明は以下に述べる実施するための最良の形態に限定されるものではなく、特許請求の範囲記載における技術的思想の範囲内であれば、その他のいろいろな形態が実施可能である。
【００３３】
まず、本発明の実施形態について図面を参照して説明する。図１は、本発明における印刷物の構成図である。図２は、本発明の第１の印刷層となる凸状の画線形状を示している。図３は、微細な凸状の画線上にパール顔料を積層した模式図である。図４は、本発明の第１の実施形態を説明している。図５は、本発明の効果を示す図である。図６は、本発明の第２の実施形態を説明している。図７は、本発明の第３の実施形態を説明している。図８は、パール光沢をなす従来例の印刷物である。
【００３４】
（印刷層１の構成）
図１（ａ）は本発明の印刷物１であり、基材２に光を反射する用紙、例えば白色の用紙で、基材２の上に「Ｎ」の画線による階調図柄を第１の印刷層３として設ける。印刷層３は、ベタ模様でない凸状（盛り上がった状態）の画線３ａを複数設けて画線による連続階調図柄とする。具体的には、図１（ｂ）に示すように、画線３ａは縦方向の万線を複数設け、上から下へと画線の幅が徐々に細くなっているため、「Ｎ」の図柄自体には連続的に濃度の変化が視認できる。また、画線３ａの色は、可視光を吸収する黒系色を用いることが必須となる。黒系色としては、黒、茶、暗青、暗緑又は暗紫等が好ましいが、特に光を吸収すれば色の制約はない。印刷層３の図柄は、文字、数字、マーク又は人像等でも構わず、画線３ａは直線のほかに、曲線、破線、分岐線、網点、画素又は格子でも良い。なお、基材１は光吸収性の基材を用いると、本発明の効果が発揮できないため、光反射性の基材１を用いる必要がある。
【００３５】
次に、画線による連続階調図柄の構成として、例えば、画線３ａは画線ピッチＰを３００μｍとし、シャドー部ｃでは、画線幅２５０μｍ、画線高さ１２０μｍ、中間部ｂでは、画線幅１５０μｍ、画線高さ７０μｍ、ハイライト部ｃでは、画線幅５０μｍ、画線高さ２０μｍであり、上から下に画線が細く、かつ低くなっている。なお、画線による連続階調図柄を画線３ａで形成する場合には、画線幅は５〜３００μｍ、好ましくは１０〜１００μｍ、画線ピッチは５〜５００μｍ、好ましくは１０〜２５０μｍ、画線高さは１〜２００μｍ、好ましくは１〜１００μｍの範囲が望ましい。なお、印刷層３は、画線による連続階調図柄で施した方が偽造防止上望ましいが、画線自体の太細の変化や非連続な階調で施しても良く、シャドー部、ハイライト部の構成でも構わない。また、印刷層３の画線による連続階調図柄としては、本出願人が開示した特許第３７２１８２３号公報、特開２００５−２８６４５号公報に記載する構成を利用しても良い。なお、画線３ａは、規則的なピッチ、規則的な配線で配置しなくても良く、線自体が断絶していても構わない。
【００３６】
印刷層３における画線３ａは、酸化重合型インキ、ＵＶ硬化型インキ、電子線硬化型インキ、紫外線硬化及び酸化重合機能を併せ持つインキ（特許２１１３８８０号公報参照）、又は２液混合型インキが好ましい。印刷方式は特に限定されることはないが、凹版印刷方式又はスクリーン印刷方式が好ましい。
【００３７】
（印刷層２の構成）
次に、例えば、図１（ａ）のような「星」の図柄を、第１の印刷層３に積層するように第２の印刷層４をスクリーン印刷によりパール印刷層で設ける。印刷層４の印刷領域は、印刷層３の印刷領域よりも大きくし、また、パール印刷層をベタ状に設けることが好ましく、この構成により、印刷層３の画線３ａに微細な画線、正確には、１００μｍ以下の画線が含まれていても、印刷層３の画線による連続階調図柄は、図柄全体で階調のあるパール光沢を視認できる。なお、印刷層４は、印刷層３の画線３ａの全部又は一部をパール印刷層で被覆すれば良く、ＵＶ硬化型インキや電子線硬化型インキなどを用い、スクリーン印刷ならば１００〜３００メッシュ、グラビア印刷ならば１００〜２５０ｌｉｎｅ／ｉｎｃｈで印刷すれば良い。また、パール印刷層で使用するパール顔料の粒子径は５〜１００μｍ、平均粒子径は１０〜５０μｍ程度が望ましく、印刷するスクリーン線数などによって適宜選択すれば良い。また、印刷層４のパール印刷層の高さ（又は厚さ）は、画線３ａのハイライト部の画線高さよりも低いことが望ましい。理由は、画線３ａが印刷層４で平坦状に埋まってしまうと、画線３ａの凸形状に沿って配向しない場合があり、パール光沢は有するが減衰してしまう恐れがある。したがって、顕著なパール光沢を得るためには、印刷層４の高さは画線３ａの高さの１／５〜４／５が好ましいが、この数字に限定されるものではない。さらに、印刷層４は、ベタ状なく線状でも良く、例えば、本出願人が開示した特許第３７１８７１２号公報を用いても構わない。
【００３８】
（パール光沢の現出）
図１（ｃ）は、図１（ａ）の断面図（Ｘ−Ｘ’部）であり、本発明の印刷物の画線断面を模式的に示したものである。基材２に、印刷層３となる黒系色の画線３ａの上には印刷層４が積層されている。印刷層４はパール印刷層であるため、基材２及び画線３ａ上にはパール顔料４ａが配向されている。この時、画線３ａは凸状であり、仮に半真円状の断面形状とすると、画線３ａの画線幅をＸ、画線３ａの周長Ｙは、略以下の式で求められる。
【００３９】
【数１】
2008105238.tif 000003
したがって、画線３ａの凸状の周長Ｙは、画線幅Ｘの約１．５倍となることから表面積も増加する。一方、図１（ｄ）に示すように、オフセット印刷で黒系色の画線３ｂを平坦状に設けた印刷物１ｂの場合は、画線３ｂの画線幅Ｘと周長Ｙは平坦状であることから等しくで周長は変化しない。従って、画線３ａを凸状とすることで、画線３ａ上に配向するパール顔料４ａの配向数が多くなり、パール顔料による干渉光も増えるためパール光沢も向上する。加えて、画線３ａは黒系色であるために、印刷層３の領域では、パール顔料４ａの干渉光のみを視認できることから、二重にパール光沢を向上することができる。なお、画線３ａを半円状で説明しているが、図２（ａ）〜（ｂ）に示すような、楕円状、三角状及び四角状等、形状の工夫で周長又は表面積を増加することができると共に、パール光沢も高くなる。また、図２（ｄ）のように、まず、平坦に印刷層３ａを設けてエンボスにより凸状としても良い。なお、ここでいう「周長」とは、画線３ａの基材２と接していない凸状の周囲の長さをいう。なお、断面図に示すパール顔料４ａの配向状態は模式的に示したものであり、実際は印刷層４内の上層及び中層等に多数配向されている。
【００４０】
また、本発明の構成であれば、７５μｍ以下の微細な画線３ａに対しても、顕著なパール光沢が付与できる。例えば、図３に示すように、印刷層３を黒系色の画線３ａとして、画線幅を２０μｍ、画線高さ３０μｍ、印刷層４であるパール印刷層のパール顔料４ａの粒子径を、１０μｍとした場合、画線３ａは、複数のパール顔料４ａで被覆され、かつパール顔料４ａの下層を黒系色としてパール顔料４ａの干渉光のみを視認できることから、微細な画線でも顕著なパール光沢が得られる。
【００４１】
一方、比較例として、例えば図示しない基材１に白色の用紙を用い画線３ａを設けないで、２０μｍの画線幅で粒子径１０μｍのパール顔料で、スクリーン印刷やグラビア印刷でパール印刷層を設けた場合（図示せず）は、版詰まりや目詰まりにより印刷できないため、パール顔料４ａの粒子径を微細にする必要がある。しかし、微細なパール顔料では、所定のパール顔料の厚みが得られず、光を効果的に干渉できないことや配向ができないことから、パール光沢は現出したとしても微弱となる。
【００４２】
（実施例１）
図４は、本発明の印刷物１であり、図４（ａ）のように、光反射性の白い紙となる基材２に凹版印刷機を使用して第１の印刷層３となる「１」の画線による階調図柄を印刷した後、スクリーン印刷機で印刷層３の上に、第２の印刷層４を長方形状に階調のないベタ図柄としてパール印刷層を施した。
【００４３】
印刷層３の「１」は、黒色インキにより複数の凸状の画線３ａで形成し、上下方向に濃度が変化している。具体的には、「１」の下部はハイライト部ａ、「１」の中央部は中間部ｂ、「１」の上部はシャドー部ｃであり、連続的に濃度が変化する画線による連続階調図柄である。階調の形成方法は、図４（ｂ）〜（ｄ）に示すように、例えば、画線３ａを斜めに交差するように配置し、各領域とも画線ピッチＰを４００μｍとして、ハイライト部ａは、図４（ｂ）に示すように画線３ａの画線幅Ｌ１を３０μｍ、画線高さ１５μｍ、中間部ｂは、図４（ｃ）に示すように画線３ａの画線幅Ｌ２を１４０μｍ、画線高さが７０μｍ、シャドー部ｃは、図４（ｄ）に示すように画線３ａの画線幅Ｌ３を２５０μｍ、画線高さ１２０μｍとして形成することで連続的に濃度が変化している。また、各領域の断面状態（Ｘ−Ｘ’部）を、図４（ｂ’）〜（ｄ’）に示すが、濃度が濃くなるにつれて画線幅が広がっており、それに伴い画線３ａは徐々に高くなることから、画線３ａの周長も増加している。なお、図４（ｂ）〜（ｄ）は、印刷層３のみの構成を示すもので、実際には、印刷層３の上には印刷層４が積層されている。
【００４４】
また、図４（ｂ’’）〜（ｄ’’）は、図４（ｂ’）〜（ｄ’）の点線で囲まれた領域を拡大した図である。断面形状から見て分かるように、図４（ｂ’’）のハイライト部ａ、図４（ｃ’’）の中間部ｂ、図４（ｃ’’）のシャドー部ｃの順に、画線幅、画線の高さとも大きくなるため、画線３ａの凸部の周長も長くなる。また、各領域の画線３ａ上には、印刷層４であるパール印刷層のパール顔料４ａが配向していることから、印刷層３による図柄内における夫々の画線３ａにおける周長の長さに応じて、パール顔料４ａの配向数も増加している。なお、スクリーン印刷は２００メッシュの紗を用い、パール顔料４ａは透明であり、天然の雲母に酸化チタンした鱗片状顔料で平均粒子径１０μｍ、緑色を帯びた金属光沢を発する顔料を使用し、印刷層４の高さは５μｍとした。
【００４５】
したがって、実施例１では、ハイライト部ａに配置されている、３０μｍ程度の微細な画線３ａでもパール光沢、具体的には、緑色を帯びた金属光沢が付与でき、夫々の領域において画線３ａの周長の長さに応じて、パール光沢の強さの変化が視認できる。このため、画線による連続階調図柄を構成する画線３ａの幅、高さを変化させることで、パール光沢の強さも変化するため、視認する角度によってパール光沢での連続階調図柄も視認できる。また、印刷層３と印刷層４との積層した２層の領域と印刷層４のみの１層の領域におけるパール光沢は、夫々の領域でパール印刷層である印刷層４の下層の色（又は光反射性）が異なることから、パール光沢の強さが異なって視認できる。
【００４６】
図５は本発明の構成で、パール光沢で連続階調図柄を視認する場合の模式図である。図５（ａ）は、画線３ａに対して上から光源をあてて、上から視認（観察）した場合の模式図であり、この環境を「拡散反射領域」（画線３ａに積層したパール顔料４ａが反射しない角度）という。この時、パール顔料４ａは透明であるため、連続階調画像をなす第１の印刷層の印刷色である黒色と基材１上に積層したパール顔料４ａの第１のパール光沢が視認できる。一方、図５（ｂ）は、画線３ａに対して上から光源をあてて斜めから視認（観察）した模式図であり、この環境を「正反射領域」（画線３ａに積層したパール顔料が反射する角度）という。この時、階調画像の画線３ａ上に積層した第２の印刷層であるパール印刷層に含まれるパール顔料４ａの第２のパール光沢が視認でき、かつ画線による連続階調図柄の夫々の画線３ａによってパール顔料４ａの積層する配向数が異なる結果、パール光沢の強さも異なり、階調図柄に応じたパール光沢の強さの変化が視認できる。したがって、視認する角度によって異なった色で連続階調図柄が視認できる。加えて、拡散反射領域と正反射領域とでは、下地色の影響から第１と第２のパール光沢の強さが異なって視認できる。なお、パール顔料４ａに緑色を帯びた金属光沢を使用したが、虹彩色であればいずれでも良く、また、銀白色、金白色などのメタリック調やこれらを組み合わせても構わない。
【００４７】
また、印刷層３の領域に対して、全部でなく一部の領域に印刷層４を積層しても良い。例えば、印刷層３である「１」の図柄の右半分の領域のみに印刷層４を積層すれば、「１」の右半分はパール光沢を有するが、左半分はパール光沢を有しない画線が形成できる。
【００４８】
さらに、印刷層３を複数の領域に色分けして印刷層４を積層しても良い。例えば、印刷層３である「１」の図柄の右半分の領域を茶色、左半分の領域を暗褐色として、凹版印刷機で夫々の色の着肉ローラ、パターンローラを用意すれば印刷可能であり、さらに、印刷層３の全部にパール印刷層で印刷層４を積層すれば、パール光沢も「１」の左右の領域で下地の色の影響で、異なる干渉光を発することから、１種類のパール顔料で２種類のパール光沢を発現する印刷物が得られる。
【００４９】
（実施例２）
実施例２は、実施例１の印刷層３における画線３ａの構成を異ならせて階調を付与しているが、その他の構成は同一であるため、同一な構成の説明は省略し、異なる構成のみを説明する。
【００５０】
階調の形成方法は、図６（ｂ）〜（ｄ）に示すように、例えば、画線３ａを斜め方向に交差するように配置し、全ての領域を形成する画線３ａにおいて画線幅Ｌを６０μｍ、画線高さ３０μｍとし、ハイライト部ａは、図６（ｂ）に示すように画線３ａの画線ピッチＰ１を４００μｍ、中間部ｂは、図６（ｃ）に示すように画線３ａの画線ピッチＰ２を２５０μｍ、シャドー部ｃは、図６（ｄ）に示すように画線３ａの画線ピッチＰ３を９０μｍとして形成し、画線による連続階調図柄を施している。また、各領域の断面状態（Ｘ−Ｘ’部）を、図６（ｂ’）〜（ｄ’）に示すが、図示した通り、濃度が濃くなるにつれて画線ピッチが狭くなっており、単位面積あたりの画線面積は徐々に大きくなり、その結果、画線３ａの表面積も増加している。つまり、画線３ａは、画線による連続階調図柄の所定の領域毎に画線３ａのピッチを異ならせて形成している。
【００５１】
また、図６（ｂ’’）〜（ｄ’’）は、図６（ｂ’）〜（ｄ’）の点線で囲まれた領域を拡大した図である。断面形状から見て分かるように、図６（ｂ’’）のハイライト部ａ、図６（ｃ’’）の中間部ｂ、図６（ｃ’’）のシャドー部ｃの順に、単位面積あたりでは画線３ａの面積は増えている。なお、画線３ａの高さは何れの領域も３０μｍで一定である。一方、各領域の画線３ａ上には、印刷層４であるパール印刷層が１０μｍの高さで形成され、パール顔料４ａが配向することから、図柄内における夫々の領域では、単位面積あたりでパール顔料４ａの配向数も変化しパール光沢による連続階調図柄が視認できる。
【００５２】
（実施例３）
実施例３は、実施例１又は実施例２における印刷層３及び印刷層４の構成は同一として、基材２との間に第３の印刷層５をパール印刷層で設けるものであるため、同一な構成の説明は省略し、異なる構成のみを説明する。
【００５３】
図７は、本発明の印刷物１であり、図７（ａ）のように、光反射性の白い紙となる基材２に、まず、用紙の製造段階において抄紙機上でフレキソ印刷によりパール印刷層を形成し、「太陽」のベタ状の図柄として第３の印刷層５として設けており、赤色を帯びた金属光沢を発するパール顔料５ａが配向している。用紙の製造段階で印刷層５を設ける利点は、印刷工程でパール印刷層を設けるための印刷を２回する必要がなく効率的であり、用紙の製造段階でパール印刷層を形成する方法としては、本出願人が先に開示した特許第２７４０７６５号などで実施しても構わない。なお、印刷層５は、印刷工程の印刷機で設けても構わない。
【００５４】
次に、印刷層５の上に、凹版印刷により「星」の図柄を凸状の画線３ａを設ける。なお、「星」の図柄には画線により階調が施されており、実施例１又は実施例２の構成で設ければ良い。次に、「Ｎ」の連続階調図柄をスクリーン印刷でパール印刷層をベタ状に印刷層４とする。但し、図７（ａ）に示すように、印刷層４の印刷領域は、印刷層３の領域内に設けることによって、「Ｎ」の連続階調図柄に強いパール光沢が視認できることから、印刷層４の印刷領域は、印刷層３の領域内に設けることが望ましい。また、印刷層４のパール顔料４ａを銀白色のメタリック調として、印刷層４と印刷層５とのパール顔料を異ならせた場合は、印刷層５の１層で形成する領域のパール光沢と、印刷層４で形成する領域のパール光沢は、異なるパール光沢を視認できる。なお、パール顔料４ａとパール顔料５ａを同一又は異質にしても良い。また、印刷層４の下層となる印刷層３の画線３ａの構成を実施例１又は実施例２の構成にすることで、「星」の図柄は画線による連像階調図柄であるため、その上にスクリーン印刷されたパール印刷層の「Ｎ」も階調のあるパール光沢が視認できる。
【図面の簡単な説明】
【００５５】
【図１】本発明における印刷物の構成図である。
【図２】本発明の第１の印刷層となる凸状の画線形状の断面図である。
【図３】第１の印刷層となる微細な画線上にパール顔料を積層した模式図である。
【図４】本発明の第１の実施形態の説明図である。
【図５】本発明の効果の説明図である。
【図６】本発明の第２の実施形態の説明図である。
【図７】本発明の第３の実施形態の説明図である。
【図８】従来のパール光沢を向上する説明図である。
【符号の説明】
【００５６】
１      印刷物
１ｂ    印刷物
２      基材
３      第１の印刷層
３ａ    凸状の画線
３ｂ    平坦状の印刷層
４      第２の印刷層
４ａ    パール顔料
５      第３の印刷層
５ａ    パール顔料
１０    色見本印刷物
１０ａ  基材
１０ｂ  黒系印刷層
１０ｃ  パール印刷層
１０ｄ  パール顔料
１１    印刷物
１１ａ  基材
１１ｃ  パール印刷層
１１ｄ  パール顔料
【図１】
2008105238.tif 000004
【図２】
2008105238.tif 000005
【図３】
2008105238.tif 000006
【図４】
2008105238.tif 000007
【図５】
2008105238.tif 000008
【図６】
2008105238.tif 000009
【図７】
2008105238.tif 000010
【図８】
2008105238.tif 000011